(57)【特許請求の範囲】
【請求項１】
洗濯機の水を溜める水槽と、前記水槽内に配した側壁に多数の脱水孔を有する洗濯兼脱水槽と、前記水槽に給水する電磁力により開閉可能な給水弁と、前記洗濯兼脱水槽の内底部に回転自在に軸支した衣類撹拌用のパルセータと、前記洗濯兼脱水槽の内壁に構成した循環水路と、銀イオン溶出装置とを備え、前記銀イオン溶出装置は、複数の透孔を形成した収納ケースと透孔を有さない収納フタとで箱形状に構成し、前記箱形状内部に銀イオンを練り込んだ小片状の銀クリスタル材を封入し、前記循環水路の内部に配置されるとともに、前記収納フタに設けたＬ字状の係止片と前記収納ケースとの間に設けたバネ体で付勢することにより前記洗濯兼脱水槽の内側より前記循環水路に着脱自在に係着され、前記パルセータの回転により前記循環水路内の前記銀イオン溶出装置の銀クリスタル材を介して前記水槽および前記洗濯兼脱水槽の内部の洗濯液に銀イオンを溶出させ、洗濯衣類に抗菌効果を持たせるようにした洗濯機。
【発明の詳細な説明】
【技術分野】
【０００１】
本発明は、抗菌性のある銀イオンを洗濯水の中に溶出するイオン溶出装置を備えた洗濯機に関するものである。
【背景技術】
【０００２】
従来、この種の洗濯機は、洗濯物を清潔に仕上げる為に、洗濯を行う際の洗濯水やすすぎ水の給水時に金属イオンを溶出させ殺菌作用を衣類に与える構成が提案されている（例えば、特許文献１参照）。
【０００３】
図５、６は、特許文献１に記載された従来の洗濯機の金属イオン溶出装置を示すもので
ある。
【０００４】
図５の洗濯機断面図に示すように、洗濯の外箱９０上方に配置したバックパネル５２内部に電磁的に開閉する給水弁５０と洗濯槽１３０内部に臨む位置に給水口５３を配し、給水弁５０と給水口５３の間にイオン溶出ユニット１００を配管する。
【０００５】
イオン溶出ユニット１００は、図６のイオン溶出装置の水平断面図に示すように、ケース１１０は、洗濯水の流入口１１１と流出口１１２を有し、内部に銀プレート等で構成した電極１１３，１１４を、距離を隔てて配置し、ケース１１０の内部を給水中に電圧印加することにより、陽極においてＡｇ→Ａｇ＋＋ｅ−の反応が起こり、水中に銀イオン（Ａｇ＋）が溶出し衣類に付着する構成である。
【特許文献１】特開２００４−１７３７１７号公報
【発明の開示】
【発明が解決しようとする課題】
【０００６】
しかしながら、前記従来の構成では、構造が複雑で且つ、高価な部品を使用し電極などの制御部品等が必要であり、一般的な洗濯機には組込が難しかった。そのため高級タイプの洗濯機にしか使用することができない、という課題を有していた。
【０００７】
本発明は、前記従来の問題を解決するもので、安価な構造で銀イオンの溶出を長期間にわたり安定して効率良く行うことのできるイオン溶出装置を有する洗濯機を提供することにある。
【課題を解決するための手段】
【０００８】
前記従来の課題を解決するために、本発明の洗濯機は、前記水槽内に配した側壁に多数の脱水孔を有する洗濯兼脱水槽と、前記水槽に給水する電磁力により開閉可能な給水弁と、前記洗濯兼脱水槽の内底部に回転自在に軸支した衣類撹拌用のパルセータと、前記洗濯兼脱水槽の内壁に構成した循環水路と、銀イオン溶出装置とを備え、前記銀イオン溶出装置は、複数の透孔を形成した収納ケースと透孔を有さない収納フタとで箱形状に構成し、前記箱形状内部に銀イオンを練り込んだ小片状の銀クリスタル材を封入し、前記循環水路の内部に配置されるとともに、前記収納フタに設けたＬ字状の係止片と前記収納ケースとの間に設けたバネ体で付勢することにより前記洗濯兼脱水槽の内側より前記循環水路に着脱自在に係着され、前記パルセータの回転により前記循環水路内の前記銀イオン溶出装置の銀クリスタル材を介して前記水槽および前記洗濯兼脱水槽の内部の洗濯液に銀イオンを溶出させ、洗濯衣類に抗菌効果を持たせるようにしたものである。
【０００９】
これによって、給水した洗濯水に銀イオンを簡単に溶出させる事ができるため安価に洗濯機に組み込む事が可能となる。
【発明の効果】
【００１０】
本発明の洗濯機は、抗菌作用のある銀イオンの溶出装置を安価で簡単な構造で行うことができ、補充や交換が簡単に可能になる。
【発明を実施するための最良の形態】
【００１１】
第１の発明は、洗濯機の水を溜める水槽と、前記水槽内に配した側壁に多数の脱水孔を有する洗濯兼脱水槽と、前記水槽に給水する電磁力により開閉可能な給水弁と、前記洗濯兼脱水槽の内底部に回転自在に軸支した衣類撹拌用のパルセータと、前記洗濯兼脱水槽の内壁に構成した循環水路と、銀イオン溶出装置とを備え、前記銀イオン溶出装置は、複数の透孔を形成した収納ケースと透孔を有さない収納フタとで箱形状に構成し、前記箱形状内部に銀イオンを練り込んだ小片状の銀クリスタル材を封入し、前記循環水路の内部に配
置されるとともに、前記収納フタに設けたＬ字状の係止片と前記収納ケースとの間に設けたバネ体で付勢することにより前記洗濯兼脱水槽の内側より前記循環水路に着脱自在に係着され、前記パルセータの回転により前記循環水路内の前記銀イオン溶出装置の銀クリスタル材を介して前記水槽および前記洗濯兼脱水槽の内部の洗濯液に銀イオンを溶出させ、洗濯衣類に抗菌効果を持たせるようにしたことにより、水槽の側壁または底面に装着固定された銀イオン溶出装置内部のＡｇクリスタル材中に練り込まれているＡｇイオンが洗濯液の中に流出する事となり、その流出した銀イオンが衣類に付着し洗濯物を抗菌処理する事が簡単に出来る。
【００１２】
また、銀イオン溶出装置を循環水路内部に配置したことにより、強力な流れの水流を、銀イオン溶出装置の内部を通す事が出来るため、銀クリスタル材より銀イオンを強く洗濯水に溶かすことができる。
【００１３】
また、銀イオン溶出装置の補充や交換が簡単に可能となる。
【００１４】
以下、本発明の実施の形態について、図面を参照しながら説明する。なお、この実施の形態によって本発明が限定されるものではない。
【００１５】
（実施の形態１）
図１は、本発明の実施の形態１における銀イオン溶出装置を有する洗濯機の縦断面図であり、図２は、同洗濯機の銀イオン溶解装置の一部断面側面図を示す。
【００１６】
図１において、洗濯機の本体１１は、内部に洗濯兼脱水槽１５を回転自在に内設した水槽１３をサスペンション１２により懸垂防振支持している。
【００１７】
洗濯兼脱水槽１５は、側壁に多数の脱水孔１６を有するとともに、内周の上部に流体バランサ１７を有し、中央底部にはパルセータ１８を回転自在に配設する。
【００１８】
洗濯・脱水軸１４は中空で２軸構造とし、水槽１３の外底部の伝達機構部１９の内部の減速ギアおよびクラッチ（図示せず）で、洗濯・脱水軸１４の回転切り換えを行い、モータ２０の回転を洗濯時にはパルセータ１８に、脱水時に洗濯兼脱水槽１５にそれぞれ回転伝達する。
【００１９】
本体１１の上部には上部枠体２４を配し、上部枠体２４の略中央部には、洗濯兼脱水槽１５と外部とを連通するための洗濯物投入取出口２５を形成し、洗濯物投入取出口２５は蓋体２６にて開閉自在に覆われている。上部枠体２４の前方側の内部には、制御装置２７を配し、後方側の内部には、水道蛇口（図示せず）と給水ホース３０で連結した電磁力により開閉可能な給水弁２８を配設している。そして、水槽１３の側面内方または底部に、銀イオン溶出装置３を装着する。
【００２０】
銀イオン溶出装置３は、図２の一部断面側面図に示すように、外周囲に多数の透孔５を形成した収納ケース６と上面に多数のフタ透孔８を有する収納フタ７とで構成した箱形状の内部に、多数の銀クリスタル材４を封入する。
【００２１】
銀クリスタル材４は、主材料に水溶性の三酸化二硼素（Ｂ２Ｏ３）に銀を練り込んだ部材として粒子状の固形物状態に加工された多数の小片として構成している。そして、透孔５およびフタ透孔８を介して、洗濯水が内部に進入し、銀クリスタル材４に接触し銀イオン溶出が洗濯水に進行する。
【００２２】
なお、図１の実施例では、銀イオン溶出装置３を水槽１３の側壁および底壁に装着して
いるが、これは銀イオン溶出装置３内部に封入する銀クリスタル材４の容量や、洗濯機の洗濯容量によりその配置個数を設定すればよく、水槽１３と洗濯兼脱水槽１５との隙間やスペースによっても影響をされるものである。
【００２３】
以上のように構成された洗濯機の銀イオン溶出装置について以下その動作、作用を説明する。
【００２４】
電磁力により開閉可能な給水弁２８が開放されることにより給水ホース３０から水槽１３および洗濯兼脱水槽１５の中に給水された洗濯水は、水槽１３および洗濯兼脱水槽１５のなかに満水状態に給水され、洗濯兼脱水槽１５の中に投入された洗濯物をパルセータ１８により撹拌し洗濯やすすぎ行程が進行する。その時に、洗濯兼脱水槽１５と水槽１３の中の水が多数の脱水孔１６を介して循環して流れる事により水槽１３の側壁または底面に装着固定された銀イオン溶出装置３内部の銀クリスタル材４から洗濯液の中に溶出され、その結果、銀クリスタル材４の中に練り込まれている銀イオンが水中に溶出して衣類に付着し、洗濯物の抗菌処理をする事が出来る。
【００２５】
（実施の形態２）
図３は、本発明の実施の形態２におけるにおける洗濯機の縦断面図である。
【００２６】
図３において、洗濯兼脱水槽１５の側壁の一部に、パルセータ１８下面より流体バランサー１７の下面に至るまで通路カバー４４にて樋（とい）状の循環水路３２を形成し、流体バランサーの出口３６には網状の袋で構成した糸くず捕集フィルタ３３を装着させて、パルセータ１８の回転により上方への循環水流により糸くずやごみ等を捕集する糸くず捕集機構を構成し、前記循環水流が流れる循環水路３２の内部に、銀イオン溶出装置３を配置する。
【００２７】
以上のような構成により、洗濯行程やすすぎ行程中のパルセータ１８の撹拌により、洗濯液が循環水路３２を流体バランサーの開口部に設けられた糸くず捕集フィルタ３３へ放出されるときの強力な水流を、銀イオン溶出装置３の内部を通す事が出来るため、銀クリスタル材４をより強く洗濯水に溶かすことができるので、銀イオンを洗濯物に付着させ抗菌効果を効果的に発揮させることが可能となる。
【００２８】
（実施の形態３）
図４は、実施形態３における洗濯機の要部縦断面図であり、図４に示す様に、パルセータ１８の回転による循環水流の循環水路３２を構成する通路カバー４４の側壁に、銀クリスタル材４を収納した銀イオン溶出装置３を着脱自在に構成する。
【００２９】
銀イオン溶出装置３の収納フタ２９には、断面Ｌ字状の係止片４２をバネ体４５にて付勢して、通路カバー４４の一部に形成した開口３１の上方に設けた凸部４３に係止と離脱が自在に係着する。
【００３０】
銀イオン溶出装置３の収納ケース６には多数の透孔５を設けているが、収納フタ２９には透孔を構成せず、循環水路３２を流れる循環水流の一部が収納ケース６に設けた多数の透孔５より内部の銀クリスタル材４を溶解しつつ、上部の出口３６より糸くず捕集フィルタ３３を通って、洗濯兼脱水槽１５の内方に流れる。
【００３１】
以上のように構成により、銀イオン溶出装置３の銀クリスタル材４が長期間の使用により効果が減少した場合、新たな銀イオン溶出装置３に取替え補充が簡単にできることが可能となる。
【００３２】
以上のように、本実施の形態においては、洗濯機の水を溜めた水槽、あるいは洗濯兼脱水槽の中に銀クリスタル材を収納した銀イオン溶出装置を配し、その銀クリスタル材を水槽、および洗濯兼脱水槽内で溶解させて銀イオンを溶出させ、洗濯槽内で洗濯される衣類を簡単に銀イオンを付着させる構成であり、特別な電気分解等の構成を必要とせず、簡単な構成で安価に実現できる。
【００３３】
また、本実施の形態の、銀イオン溶出装置を循環水流の水路の側壁に配置した構成においては、強い水流で溶解を高める為により強い抗菌効果を発揮させることが出来る。
【産業上の利用可能性】
【００３４】
以上のように、本発明にかかる洗濯機の銀イオン溶出装置は、抗菌作用のある銀イオンの溶出を安価で簡単な構造で行うことが可能となるので、洗濯機のみならず、乾燥機能を有する洗濯乾燥機等の用途にも適用できる。
【図面の簡単な説明】
【００３５】
【図１】本発明の実施の形態１における洗濯機の縦断面図
【図２】同上洗濯機の銀イオン溶出装置の一部断面側面図
【図３】本発明の実施の形態２における洗濯機の縦断面図
【図４】本発明の実施の形態３における洗濯機の要部縦断面図
【図５】従来の洗濯機の断面図
【図６】同洗濯機のイオン溶出装置の水平断面図
【符号の説明】
【００３６】
３    銀イオン溶出装置
４    銀クリスタル材
５    透孔
６    収納ケース
７    収納フタ
１３  水槽
１５  洗濯兼脱水槽
１６  脱水孔
１８  パルセータ
２８  給水弁
３２  循環水路
３３  糸くず捕集フィルタ
４４  通路カバー
【図１】
0004530076.tif 000002
【図２】
0004530076.tif 000003
【図３】
0004530076.tif 000004
【図４】
0004530076.tif 000005
【図５】
0004530076.tif 000006
【図６】
0004530076.tif 000007